(57)【特許請求の範囲】
【請求項１】
背面板と、
前記背面板に折り畳み可能に取り付けられる一対の可動片と、この一対の可動片に架設された可動面とを有する折り畳み可能な可動部材と、
を備える展示台であって、
前記一対の可動片を折り畳む折畳状態と、前記一対の可動片を立設させ、前記可動片が前記背面板に対して階段状に配置される階段状態と、を選択可能に固定する固定部材を備え、
当該固定部材は、上下方向に移動可能であって、前記可動片を引き上げて立設させることを特徴とする展示台。
【請求項２】
請求項１に記載の展示台であって、
前記可動面に折り畳み可能に取り付けられる他の一対の可動片と、この他の一対の可動片に架設された他の可動面とを有する折り畳み可能な他の可動部材と、
を更に備えることを特徴とする展示台。
【請求項３】
請求項２に記載の展示台であって、
前記一対の可動片は、上部可動片及び下部可動片から構成され、
前記他の一対の可動片は、他の上部可動片及び他の下部可動片から構成され、
前記固定部材の下部は、前記他の可動面と他の下部可動片の連接部に固定され、
前記可動部材及び前記他の可動部材の内部を貫通し、
前記固定部材の上部は、前記背面板と前記上部可動片を貫通することを特徴とする展示台。
【請求項４】
請求項２又は３の何れか一項に記載の展示台であって、
前記背面板、前記可動面又は前記他の可動面の少なくとも一方に、収納部を備えることを特徴とする展示台。
【請求項５】
請求項４に記載の展示台であって、
前記収納部は、収納物を付勢する付勢部材を有する略箱形の収納部であることを特徴とする展示台。
【請求項６】
請求項１乃至５の何れか一項に記載の展示台であって、
前記背面板の背部には、階段状態において設置面に当接し、前記展示台を自立させる折畳可能な自立片を備えることを特徴とする展示台。
【請求項７】
請求項１乃至６の何れか一項に記載の展示台であって、
前記背面板の左右両端部に折り曲げ片を設けたことを特徴とする展示台。
【請求項８】
請求項１乃至７の何れか一項に記載の展示台であって、
前記背面板の上方に吊下げ展示用の紐状部材を連通する穴部が形成されることを特徴とする展示台。
【請求項９】
請求項１乃至８の何れか一項に記載の展示台であって、
前記展示台における背面板は、少なくとも２以上の板状の部材を組み合わせてなる合成部材から構成されることを特徴とする展示台。
【発明の詳細な説明】
【技術分野】
【０００１】
本発明は、商品を陳列する展示台等の技術分野に関する。
【背景技術】
【０００２】
従来から、収納容器に包装された商品は、店舗（商品の販売場所等）のスペースを有効に活用し、かつ、消費者の注意を喚起し商品に対する購買意欲を惹起させるために、展示台の一形態であるいわゆる吊下げ陳列棚に収納されて、店頭に陳列されることが行われている。
【０００３】
特許文献１では、商品が上部から複数個挿入できる所要容積のストック部が支持体の前面に組み付けられた吊下げ型の陳列棚についての技術が開示されている。
【０００４】
また、特許文献２では、長辺方向の一方の端辺側に吊り下げ部を有する短冊形台紙の一方の面に、前記一方の端辺側に開口部を有する収納部が前記短冊形台紙の長辺方向に重なることなく連続して複数個設けられている展示販売用吊り下げ容器において、前記収納部が前記短冊形台紙の一方の面に表面板を固定することにより形成され、かつ、前記表面板の前記短冊形台紙の短辺方向の略中央部に前記短冊形台紙の長辺方向に平行な裂け目が形成されている展示販売用吊り下げ容器についての技術が開示されている。
【０００５】
また、特許文献３では、板紙素材から打ち抜いて筒貼りし、前面に収納部が形成される吊下展示用紙容器についての技術が開示されている。
【０００６】
また、特許文献４では、底辺よりも広い開口部を有する複数の陳列棚を帯状態の前面に備える商店提供用容器についての技術が開示されている。
【先行技術文献】
【特許文献】
【０００７】
【特許文献１】特開平９−１８３４３２号公報
【特許文献２】特開２０００−１８９２９８号公報
【特許文献３】特開２００１−６５９５９号公報
【特許文献４】特開２００５−８０６９６号公報
【発明の概要】
【発明が解決しようとする課題】
【０００８】
しかしながら、店舗のスペースや他の商品の陳列状態は、店舗に応じて異なるのが通常である。上記特許文献で開示される吊下げ陳列棚（当該特許文献で開示される吊下げ型の陳列棚、展示販売用吊り下げ容器、吊下展示用紙容器及び商店提供用容器の総称とする。）を用いて商品の陳列を行うためには、当該吊下げ陳列棚を吊下げられるスペースが必要であり、このようなスペースがなく、単に商品を陳列するスペースしかない店舗（例えば、店舗の平坦なスペースのみに商品を陳列して販売する店舗）では、当該吊下げ陳列棚を利用することができない。
【０００９】
また、現時点においては、先に吊下げ陳列棚が設置されており、新たに吊下げ陳列棚を設置できるスペースを確保することはできないが、先に設置された吊下げ陳列棚を引き上げる事情が生じた場合（例えば、先に設置された吊下げ陳列棚に収納される商品が全て売れた場合等）には、当該事情の変化が生じるまでは、吊下げ陳列棚を吊下げられるスペース以外の場所（例えば、店舗の平坦なスペース）で商品を展示し、事後的に、当該吊下げ陳列棚を利用することが考えられる。上記特許文献で開示される吊下げ陳列棚では、吊下げて商品を展示することしかできず、上述した販売状況の変化に機動的に対応することができない。
【００１０】
そこで、本発明は、上記問題点に鑑みてなされたものであり、その目的の一例は、種々の状況に応じて多様な形態で商品を展示することができる展示台等を提供することである。
【課題を解決するための手段】
【００１１】
上記課題を解決するために、請求項１に記載の発明は、背面板と、前記背面板に折り畳み可能に取り付けられる一対の可動片と、この一対の可動片に架設された可動面とを有する折り畳み可能な可動部材と、を備える展示台であって、前記一対の可動片を折り畳む折畳状態と、前記一対の可動片を立設させ、前記可動片が前記背面板に対して階段状に配置される階段状態と、を選択可能に固定する固定部材を備え、当該固定部材は、上下方向に移動可能であって、前記可動片を引き上げて立設させることを特徴とする。
【００１２】
従って、種々の状況に応じて、多様な形態で商品を収納して展示することができる。
【００１３】
また、請求項２に記載の発明は、請求項１に記載の展示台であって、前記可動面に折り畳み可能に取り付けられる他の一対の可動片と、この他の一対の可動片に架設された他の可動面とを有する折り畳み可能な他の可動部材と、を更に備えることを特徴とする。
【００１４】
従って、種々の状況に応じて、多様な形態で商品を展示することができる。
【００１５】
また、請求項３に記載の発明は、請求項２に記載の展示台であって、前記一対の可動片は、上部可動片及び下部可動片から構成され、前記他の一対の可動片は、他の上部可動片及び他の下部可動片から構成され、前記固定部材の下部は、前記他の可動面と他の下部可動片の連接部に固定され、前記可動部材及び前記他の可動部材の内部を貫通し、前記固定部材の上部は、前記背面板と前記上部可動片を貫通することを特徴とする。
【００１６】
また、請求項４に記載の発明は、請求項１乃至３の何れか一項に記載の展示台であって、前記背面板、前記可動面又は前記他の可動面の少なくとも一方に、収納部を備えることを特徴とする。
【００１７】
また、請求項５に記載の発明は、請求項３又は４に記載の展示台であって、前記収納部は、収納物を付勢する付勢部材を有する略箱形の収納部であることを特徴とする。
【００１８】
また、請求項６に記載の発明は、請求項１乃至５の何れか一項に記載の展示台であって、前記背面板の背部には、階段状態において設置面に当接し、前記展示台を自立させる折畳可能な自立片を備えることを特徴とする。
【００１９】
また、請求項７に記載の発明は、請求項１乃至６の何れか一項に記載の展示台であって、前記背面板の左右両端部に折り曲げ片を設けたことを特徴とする。
【００２０】
また、請求項８に記載の発明は、請求項１乃至７の何れか一項に記載の展示台であって、前記背面板の上方に吊下げ展示用の紐状部材を連通する穴部が形成されることを特徴とする。
【００２１】
また、請求項９に記載の発明は、請求項１乃至８の何れか一項に記載の展示台であって、前記展示台における背面板は、少なくとも２以上の板状の部材を組み合わせてなる合成部材から構成されることを特徴とする。
【発明の効果】
【００２２】
以上のように、本発明における展示台によれば、種々の状況に応じて、多様な形態で商品を陳列することができる。
【図面の簡単な説明】
【００２３】
【図１】第１実施形態にかかる展示台Ｓ１の折畳状態における各構成部材の配置を透過的に示す概念図である。
【図２】第１実施形態にかかる折畳状態から階段状態への遷移を示す概念図である。
【図３】第１実施形態にかかる展示台Ｓ１の階段状態を示す外観図である。
【図４】第１実施形態にかかる階段状態における商品を収容した様子を示す概念図である。
【図５】第１実施形態にかかる背面板１の展開時の形状を示す展開図である。
【図６】第１実施形態にかかる可動部材２０の展開時の形状を示す展開図である。
【図７】第１実施形態にかかる固定部材５０の展開時の形状を示す展開図である。
【図８】第２実施形態にかかる展示台Ｓ２の折畳状態における各構成部材の配置を透過的に示す概念図である。
【図９】第２実施形態にかかる折畳状態から階段状態への遷移を示す概念図である。
【図１０】第２実施形態にかかる展示台Ｓ２の階段状態を示す外観図である。
【図１１】第２実施形態にかかる展示台Ｓ２の折畳状態から階段状態の遷移を段階的に示す概念図である。
【図１２】第２実施形態にかかる展示台Ｓ２の折畳状態から階段状態の遷移を段階的に示す概念図である。
【図１３】第２実施形態にかかる展示台Ｓ２の折畳状態から階段状態の遷移を段階的に示す概念図である。
【図１４】第２実施形態にかかる階段状態における商品を収容した様子を示す概念図である。
【図１５】第２実施形態にかかる背面板１の展開時の形状を示す展開図である。
【図１６】第２実施形態にかかる可動部材６０の展開時の形状を示す展開図である。
【図１７】第２実施形態にかかる可動部材１２０の展開時の形状を示す展開図である。
【図１８】第２実施形態にかかる固定部材８０の展開時の形状を示す展開図である。
【図１９】第３実施形態にかかる展示台Ｓ３の折畳状態における各構成部材の配置を透過的に示す概念図である。
【図２０】第３実施形態にかかる展示台Ｓ３の階段状態を示す外観図である。
【図２１】第３実施形態にかかる折畳状態における商品を収容した様子を示す概念図である。
【図２２】第３実施形態にかかる階段状態における商品を収容した様子を示す概念図である。
【図２３】第３実施形態にかかる背面板１の展開時の形状を示す展開図である。
【図２４】第３実施形態にかかる可動部材６０の展開時の形状を示す展開図である。
【図２５】第３実施形態にかかる可動部材１２０の展開時の形状を示す展開図である。
【図２６】第３実施形態にかかる収納部２００の展開時の形状を示す展開図である。
【図２７】第４実施形態にかかる展示台Ｓ４の使用状態を示す概念図である。
【図２８】第４実施形態にかかる背面板１の展開時の形状を示す展開図である。
【発明を実施するための形態】
【００２４】
以下に、本願の最良の実施形態を添付図面に基づいて説明する。
【００２５】
［１．第１実施形態］
まず、図１〜図４を用いて、第１実施形態にかかる展示台Ｓ１の使用状態について説明する。
【００２６】
図１は第１実施形態にかかる展示台Ｓ１の折畳状態における各構成部材の配置を透過的に示す概念図であり、図２は第１実施形態にかかる折畳状態から階段状態への遷移を示す概念図であり、図３は第１実施形態にかかる展示台Ｓ１の階段状態を示す外観図であり、図４は第１実施形態にかかる階段状態における商品を収容した様子を示す概念図である。なお、各部材の詳細については後述する。また、以下のすべて実施形態にかかる図面において、同一の部材名又は部材番号が示された部材は、少なくとも同一の構成及び同一の機能を有するものとする。なお、説明の便宜上、以下の全ての実施形態では、背面部において、可動部材が備えられる面を前面とし、当該可動部材が備えられる面と対向する面を背面とする。
【００２７】
さらに、説明の便宜上、座標軸２００を定義する。座標軸２００において、Ｙ軸方向（紙面の鉛直方向）を総称して垂直方向と、Ｘ軸方向（紙面の水平方向）を水平方向とそれぞれ方向を定義する。さらに、Ｙ軸の矢印が示す方向を上方と、Ｙ軸の矢印が示す方向と対向する方向を下方とそれぞれ定義する。この座標軸２００についても、特に示す場合を除き以下の全ての実施形態及び図面において共通するものとする。
【００２８】
図１に示すように、本実施形態にかかる展示台Ｓ１は、背面板１の前面に可動部材２０が設けられている。
【００２９】
可動部材２０は、可動片２１（本願の一対の可動片の一例）と、可動片２２（本願の一対の可動片の一例）と、可動面２３（本願の可動面の一例）と、底面部２４と、から構成される。
【００３０】
可動片２１と可動面２３は折り線２５を介して、可動片２２と可動面２３は折り線２６を介して、底面部２４と可動片２２は折り線２７を介して、底面部２４と可動片２１は折り線２８を介して、それぞれ折り畳み可能（回動可能）に連接される。換言すれば、可動面２３は、可動片２１及び可動片２２に架設されている。
【００３１】
このように構成される可動部材２０は、可動片２１、可動面２３、可動片２２、及び底面部２４を側面部とし、断面略矩形の中空部が連続する角筒状の部材であり、可動片２１と可動片２２を折り畳むと、可動面２３を背面板１に近接した位置に配置（一対の可動片２１と可動片２２を背面板１に近接させた位置で配置）することができる。
【００３２】
また、可動部材２０の内部（上記中空部）には、固定部材５０（本願の固定部材の一例）が配置されている。
【００３３】
固定部材５０の下端片５２は、可動面２３と可動片２２の連接部である折り線２６に固定される。また、固定部材の上端片５７は、可動片２１と底面部２４の連接部である折り線２８と背面板１を貫通して、背面板１の背面に固定される。
【００３４】
具体的に、下端片５２は、可動部材２０に形成（穿孔）された穴部３０から外部（上記中空部から外部）へ導出される。この穴部３０は、下端片５２が貫通できる程度の巾が設けられた略長方形のスリット状の穴である。そして、穴部３０のスリット状の穴形状のうち長手方向の端部（後述する図６の３０ａ参照）は、折り線２６と略同一直線状に配置されるように穿孔される。
【００３５】
そして、外部へ導出された下端片５２は、折り線５３で折り曲げられる。この折り線５３は、上述した穴部３０の長手方向の端部３０ａと重なる個所で折り曲げられ、可動片２２に、例えば粘着手段によって固定される。
【００３６】
なお、粘着手段の一例としては、テープ、糊、面ファスナー等を適用することができる。以下、固定という場合には、上記粘着手段によって固定される場合を含むものとする。
【００３７】
固定部材５０の上端片５７は、可動部材２０に形成された穴部３１から外部へ導出される。そして、外部へ導出された上端片５７は、更に、背面板１に形成された穴部２から、背面板１の背部へ導出され、折り線５５ａ及び折り線５５ｂで折り曲げられ、背面板１の背部の面ファスナー１１（又は面ファスナー１１と位置をずらして設けられた面ファスナー１２）と、固定部材５０に設けられた面ファスナー５６によって、着脱可能（係脱可能）に固定される。この着脱可能に固定する手段としては面ファスナーを適用したが、釦等を適用することもできる。
【００３８】
この状態での固定部材５０の折り線５３から折り線５５ａまでの長さは、可動部材２０が折り畳まれた状態での折り線２６から折り線２８までの直線距離（最短距離）と略同一であり、折り畳まれた可動部材２０の内部で略直線状に配置されている。そして、上述したように、可動部材５０の下端片５２及び上端片５７は固定されているため、可動部材２０は、固定部材５０によって、背面板１へ近接する方向へ荷重が加えられる。その結果、可動部材２０は、背面板１へ近接された状態（換言すれば、折り畳まれた状態）で固定（補形）される。以下に説明する実施形態において、この状態を、折畳状態と定義する。
【００３９】
この折畳状態では、展示台Ｓ１の水平方向の長さを短くすることができるため（即ち、展開状態の展示台Ｓ１の水平方向の幅を薄くできる）、展示台Ｓ１を保管する際にかさばらず、優れた収納性を発揮する。
【００４０】
図２に示すように、面ファスナー１１及び面ファスナー５６を相互に外し、固定部材５０（上端片５７）を上部に引き上げると（矢印Ａの方向へ引き上げる）、可動片２２は、折り線２７を基準に回動し（矢印Ｂの方向に回動する）、背面板１上に立設する。この時、可動片２１は、可動面２３を介して可動片２２と連接されているため、可動片２２の立設に連動して、背面板１上に立設する。
【００４１】
図３に示すように、固定部材５０の上端片５７を、折り線５４ａ及び折り線５４ｂで折り曲げて、面ファスナー１１及び面ファスナー５６を相互に圧着（係止）すると、背面板１、可動片２１及び可動面２３は、階段状に配置された位置で固定される。このとき、可動部材２０は、断面略矩形の中空部が連続する角筒状の形態を示している。
【００４２】
この状態での固定部材５０の折り線５３から折り線５４ａまでの長さは、可動部材２０が上記角筒状の形態を示す場合の折り線２６から折り線２８までの直線距離（最短距離）と略同一であり、角筒状の形態を示す可動部材２０の内部で対角線上に配置されている。
【００４３】
そして、上述したように、固定部材５０の下端片５２は固定され、固定部材５０の上端片５７は折り線５４ａ及び折り線５４ｂによって折り曲げられて固定されているため、可動部材２０は、固定部材５０によって、角筒状の形態が維持されるように固定（補形）されている。すなわち、可動部材２０を折り畳む方向に負荷が加えられても、固定部材５０の両端部（上端片５７及び下端片５２）が固定されているため、可動部材２０は、角筒状の形態を維持する。以下に説明する実施形態において、この状態を、階段状態と定義する。
【００４４】
そして本実施形態における階段状態において、実際に商品を展示する場合には、図４に示すように、展示台Ｓ１の可動片２１に、商品１００を載置する。
【００４５】
なお、商品の広告等を示す情報表示や、商品のパンフレット等が挿入されたポケットを設ける情報提示部３００を、背面板１又は可動面２３の前面に提示するようにしてもよい。
【００４６】
また、展示台Ｓ１は、階段状態において、壁等の壁面に設置された吊下具に、背板１に穿孔された穴部７及び穴部９に連通される紐１３を係止（例えば、引っ掛ける）することにより、商品１００を垂直方向に配列して展示することができる。
【００４７】
また、展示台Ｓ１は、階段状態において、設置面に可動片２２を当接させることによって、商品１００を載置して展示することもできる。
【００４８】
このように、本実施形態における展示台Ｓ１は、商品を吊下げて又は載置して展示することができるため、販売環境に応じて商品を展示することができる。
【００４９】
次に、図５〜図７を用いて、第１実施形態にかかる展示台Ｓ１の詳細について説明する。
【００５０】
まず、図５を用いて、第１実施形態にかかる背面板１の詳細について説明する。
【００５１】
図５は、第１実施形態にかかる背面板１の展開時の形状を示す展開図である。なお、図５に示す例では、背面板１を背面からみた場合の展開図である。
【００５２】
図５に示すように、背面板１は、紙、上質紙、ボール紙やＰＥＴ材等の薄型樹脂製板材等の折り曲げ自在の板状の部材を素材とし、穴部２、穴部７、及び穴部９が設けられた背面板１と、この背面板１の左右両端部には折り線４及び折り線６を介して、折り曲げ片３及び折り曲げ片５（本願の折り曲げ片の一例）が連接されている。
【００５３】
背面板１は、上述した板状の部材を、この背面板１と略同じ形の金型（例えば、いわゆるビク型等）により打ち抜いて形成される。打ち抜かれる際に、図５における実線部分の切断が行われる。
【００５４】
なお、このような板状の部材を形成する金型は、合成樹脂により構成される製品を形成する金型のようにキャビティ型及びコア型から構成されるいわゆる二枚構造ではなく、また、イジェクタピン等の機構を備える必要がないため、低価格で製作することができる。
【００５５】
さらに、このような板状の部材を形成する金型は、合成樹脂により構成される製品を形成する金型のようにキャビティ型及びコア型が可動する駆動機構を備える必要がないため、低価格で製作することができる。
【００５６】
また、本実施形態においては、上記板状の部材として、少なくとも２枚以上の板状の部材を組み合わせてなる合成部材（例えば、３枚以上の板状の部材を組み合わせた、いわゆる三枚合紙）を適用するようにしてもよい。この場合、背面板１には、反り（そり）や歪みが発生しにくいという利点がある。
【００５７】
穴部２は、固定部材５０が挿入される穴であり、固定部材５０は、穴部２を上下に移動可能に連通する。
【００５８】
折り線４及び折り線６は、板状の部材を折り曲げ可能とするための処理が施されたものであり例えば、板状の部材から打ち抜かれて形成された背面板Ａに対して、筋付け（筋押し、又は筋入れ）、印刷による線の表示、ミシン目、連続するパンチ穴の集合、又はハーフカット等の各処理を施すことにより形成される。
【００５９】
なお、背面板１の材質に上記三枚合紙が適用される場合には、折り線が形成されるための処理として、ハーフカット（例えば、上記三枚合紙を構成する板状の部材のうち一枚目あるいは、二枚目までを切断する処理）が施されるようになっている。上記部材にミシン目等の処理が適用されると、当該部材を折り曲げた際に、切断されてしまうからである。
【００６０】
以下に示す実施形態において、他に示す折り線（例えば後述する可動部材２０の折り線（図６参照）等）は、特に示す場合を除き、図面中において点線で示し、上述した特性を有する折り線を適用する。
【００６１】
なお、折り曲げ片３及び折り曲げ片５は、折り曲げ片３及び折り曲げ片５を折り畳み可能に連結したものでもよく、例えば、板状の部材からそれぞれ別個に打ち抜かれた折り曲げ片３及び折り曲げ片５（すなわち、折り曲げ片３及び折り曲げ片５がそれぞれ分離している）を、テープ等で接合して連結するようにしてもよい。
【００６２】
穴部７及び穴部９は、紐１３を連通するために穿孔された穴である。
【００６３】
折り曲げ片３及び折り曲げ片５は、背面板１の反りや返りを防止するための補強部材であり、折り線４及び折り線６を介して、背面板１の背部に折り曲げられ、固定される。
【００６４】
穴部８及び穴部１０は、折り曲げ片３及び折り曲げ片５を折り曲げた状態で紐１３を連通するために穿孔された穴である。折り曲げ片３及び折り曲げ片５を折り曲げた場合に、穴部８及び穴部１０は、穴部７及び穴部９と略同一の位置に配置されるようになっており、紐１３を連通することができる。
【００６５】
面ファスナー１１及び面ファスナー１２（図５の一点鎖線部参照）は、面ファスナーであり、固定部材５０に設けられる面ファスナー５６と相互に着脱可能に固定される。
【００６６】
紐１３は、樹脂製材料や金属製材料等によって製造された紐状の部材（例えば、紐、釣り糸やワイヤー等）である。
【００６７】
次に、図６を用いて、第１実施形態にかかる可動部材２０の詳細について説明する。
【００６８】
図６は、第１実施形態にかかる可動部材２０の展開時の形状を示す展開図である。この可動部材２０は、上述した板状の部材を、展開時の形状と略同じ型の金型により打ち抜いて形成される。打ち抜かれる際に、図６における実線部分の切断が行われる。
【００６９】
図６に示すように、可動片２１の左右両端部には、折り線を介して折り込み片２１ａ及び折り込み片２１ｂがそれぞれ連接されている。
【００７０】
可動片２１の上端部には、折り線２８を介して底面部２４が連接され、この底面部２４の左右両端部には、折り線を介して折り込み片２４ａ及び折り込み片２４ｂがそれぞれ連接されている。更に、折り線２８と底面部２４の一部には、穴部３１が穿孔される。底面部２４の上端部には、糊代２９が折り線２７を介して連接される。
【００７１】
可動片２１の下端部には、折り線２５を介して可動面２３が連接され、この可動面２３の左右両端部には、折り線を介して折り込み片２３ａ及び折り込み片２３ｂがそれぞれ連接されている。
【００７２】
可動面２３の下端部には、折り線２６を介して可動片２２が連接され、折り線２６と可動面２３の一部には、穴部３０が穿孔される。可動片２２の左右両端部には、折り線を介して折り込み片２２a及び折り込み片２２ｂがそれぞれ連接されている。
【００７３】
この可動部材２０を組み立てる方法の一例としては、まず、上述した各折り込み片２１ａ〜２４ａ及び折り込み片２１ｂ〜２４ｂを、それぞれ内側へ折り曲げて固定（貼着）する。この折り込み片２１ａ〜２４ａ及び折り込み片２１ｂ〜２４ｂは、可動部材２０を補強する補強部材であり、内側へ折り曲げて固定することにより、外力（例えば、曲げ応力及びせん断応力）による各部材（可動片２１等）の破損等を防止することができる。
【００７４】
その後、可動片２１、可動面２３、可動片２２、及び底面部２４を筒状（角筒状）に折り曲げて、糊代２９を可動片２２の裏面に固定する。
【００７５】
次に、図７を用いて、第１実施形態にかかる固定部材５０の詳細について説明する。
【００７６】
図７は、第１実施形態にかかる固定部材５０の展開時の形状を示す展開図である。この固定部材５０は、上述した板状の部材を、展開時の形状と略同じ型の金型により打ち抜いて形成される。打ち抜かれる際に、図７における実線部分の切断が行われる。
【００７７】
図７に示すように、基部５１の左右両端部には、折り線を介して折り曲げ片５１ａ及び折り曲げ片５１ｂが連接されている。この折り曲げ片は、固定部材５０を補強する補強部材であり、内側へ折り曲げて固定することにより、外力による各部材（基部５１等）の破損等を防止することができる。
【００７８】
そして、基部５１の下端部には、折り線５３を介して下端片５２が、基部５１の上端部には、折り線５４ａを介して上端片５７が連接されている。上端片５７には、折り線５４ａ、折り線５４ｂ、折り線５５ａ及び折り線５５ｂが設けられている。
【００７９】
面ファスナー５６は、上端片５７の一の面に設けることもできるし、両面に設けることもできる。面ファスナー５６を上端片５７の両面に設けた場合には、上端片５７を下方に折り曲げて面ファスナー１１と固定することもできるし、上端片５７を上方に折り曲げて面ファスナー１２と固定することもできる。
【００８０】
この固定部材５０を組み立てる方法の一例としては、折り曲げ片５１ａ及び折り曲げ片５１ｂを、それぞれ内側へ折り曲げて固定する。
【００８１】
以上説明したように、本実施形態によれば、背面板１と、背面板１に折り畳可能に取り付けられる一対の可動片２１と可動片２２と、この一対の可動片２１と可動片２２に架設された可動面２３とを有する折り畳み可能な可動部材２０と、を備える展示台Ｓ１であって、一対の可動片２１と可動片２２を折り畳んで、一対の可動片２１と可動片２２が背面板１に近接した位置で固定される折畳状態と、一対の可動片２１と可動片２２を立設させて、一対の可動片２１と可動片２２が立設した位置で（背面板１、可動片２１、及び可動面２３が階段状に配置された位置で）固定される階段状態と、を選択可能に固定する固定部材５０が可動部材２０に設けられるように構成したため、種々の状況に応じて、多様な形態で商品を展示することができる。
【００８２】
なお、以上説明した実施形態は特許請求の範囲にかかる発明を限定するものではない。そして、上記実施形態の中で説明されている構成の組み合わせ全てが発明の課題解決に必須の手段であるとは限らない。
【００８３】
具体的には、可動片２１に載置される商品は、任意に選択することができ、例えば、食品（ガム、飴等）、化粧品、文房具（例えば、糊等）、家電製品（例えば、充電池等）等を収納した容器を適用することができる。可動部材２０の形状（特に、一対の可動片２１と可動片２２の形状）は、収納される商品の大きさや数量に応じて、適宜変更することができる。
【００８４】
また、可動部材の形状は、限定されることなく任意に選択することができる。例えば、底面部２４を設けない構成を採用することもできる。具体的には、可動片２１及び可動片２２を、背面板１に折畳可能に取り付ける（立設自在に固定する）ようにすればよい。この場合、階段状態において、可動部材２０は、断面略コの字型が連続する形状を示す。
【００８５】
［２．第２実施形態］
次に、図８〜図１４を用いて、第２実施形態にかかる展示台Ｓ２について説明する。
【００８６】
第２実施形態にかかる展示台Ｓ２が、第１実施形態にかかる展示台Ｓ１と異なる点は、可動部材の可動面の前面に、他の可動部材を更に備えたことである。従って、共通する部材の構成、作用及び効果の詳しい説明については省略する。
【００８７】
まず、図８〜図１３を用いて、第２実施形態にかかる展示台Ｓ２の使用状態について説明する。
【００８８】
図８は第２実施形態にかかる展示台Ｓ２の折畳状態における各構成部材の配置を透過的に示す概念図であり、図９は第２実施形態にかかる折畳状態から階段状態への遷移を示す概念図であり、図１０は第２実施形態にかかる展示台Ｓ２の階段状態を示す外観図であり、図１１〜図１３は第２実施形態にかかる展示台Ｓ２の折畳状態から階段状態の遷移を段階的に示す概念図である。
【００８９】
図８に示すように、本実施形態にかかる展示台Ｓ２は、背面板１の前面に可動部材６０（本願の可動部材の一例）が設けられており、更に、可動部材６０の可動面６３の前面に可動部材１２０（本願の他の可動部材の一例）が設けられている。本実施形態においては、可動部材１２０の底面部１２４が、可動部材６０の可動面６３の前面に固定されている。  可動部材６０は、可動片６１（本願の一対の可動片のうち上部可動片の一例）と、可動片６２（本願の一対の可動片のうち下部可動片の一例）と、可動面６３（本願の可動面の一例）と、底面部６４と、から構成される。
【００９０】
可動片６１と可動面６３は折り線６５を介して、可動片６２と可動面６３は折り線６６を介して、底面部６４と可動片６２は折り線６７を介して、底面部６４と可動片６１は折り線６８を介して、それぞれ折り畳み可能（回動可能）に連接されている。換言すれば、可動面６３は、可動片６１と可動片６２に架設されている。
【００９１】
このように構成される可動部材６０は、可動片６１、可動面６３、可動片６２、及び底面部６４を側面部とし、断面略矩形の中空部が連続する角筒状の部材であり、可動片６１と可動片６２を折り畳むと、可動面６３を背面板１に近接した位置に配置（一対の可動片６１と可動片６２を背面板に近接させた位置で配置）することができる。
【００９２】
可動部材１２０は、可動片１２１（本願の他の一対の可動片のうち他の上部可動片の一例）と、可動片１２２（本願の他の一対の可動片のうち他の下部可動片の一例）と、可動面１２３（本願の他の可動面の一例）と、底面部１２４と、から構成される。
【００９３】
可動片１２１と可動面１２３は折り線１２５を介して、可動片１２２と可動面１２３は折り線１２６を介して、底面部１２４と可動片１２２は折り線１２７を介して、底面部１２４と可動片１２１は折り線１２８を介して、それぞれ折り畳み可能（回動可能）に連接されている。換言すれば、可動面１２３は、可動片１２１と可動片１２２に架設さている。
【００９４】
このように構成される可動部材１２０は、可動片１２１、可動面１２３、可動片１２２、及び底面部１２４を側面部とし、断面略矩形の中空部が連続する角筒状の部材であり、可動片１２１と可動片１２２を折り畳むと、可動面１２３を背面板１（可動部材６０及び可動面６３も含む）に近接した位置に配置（一対の可動片１２１と可動片１２２を背面板１に近接させた位置で配置）することができる。
【００９５】
そして、可動部材６０及び可動部材１２０の内部（上記中空部）には、固定部材８０（本願の固定部材の一例）が配置されている。
【００９６】
ここで、固定部材８０が配置される状態を説明すると、まず、固定部材８０の下端片８２（本願の固定部材の下部の一例）は、可動面１２３と可動片１２２の連接部である折り線１２６に固定される。
【００９７】
具体的には、下端片８２は、可動部材１２０に形成された穴部１３０から外部へ導出される。この穴部１３０は、下端片８２が貫通できる程度の巾が設けられた略長方形のスリット状の穴である。そして、穴部１３０のスリット状の穴形状のうち長手方向の端部（後述する図１７の１３０ａ参照）は、折り線１２６と略同一線上に配置されるように穿孔される。
【００９８】
そして、外部へ導出された下端片８２は、折り線８３で折り曲げられる。この折り線８３は、上述した穴部１３０の長手方向の端部１３０ａと重なる個所で折り曲げられ、可動片１２２に、例えば粘着手段によって固定される。
【００９９】
また、固定部材８０は、可動部材６０及び可動部材１２０の内部を貫通する。
【０１００】
具体的には、固定部材８０の上端片８７は、可動部材１２０に形成された穴部１３１から外部へ導出される。そして、上端片８７は、可動部材６０に形成された穴部７０から、可動部材６０の内部へ導入される。なお、穴部１３１及び穴部７０は、固定部材８０が貫通できる程度の巾が設けられた略長方形のスリット状の穴である。
【０１０１】
そして、固定部材８０の上端片８７は、背面板１と可動片６１を貫通する。
【０１０２】
具体的には、上端片８７は、可動部材６０に形成された穴部７１から外部へ導出される。そして、外部へ導出された上端片８７は、更に、背面板１に形成された穴部１４から、背面板１の背部へ導出され、折り線８５ａ及び折り線８５ｂで折り曲げられ、背面板１の背部の面ファスナー１１（又は面ファスナー１１と位置をずらして設けられた面ファスナー１２）と、固定部材８０に設けられた面ファスナー８６によって、着脱可能に固定される。
【０１０３】
図８に示すように、この状態での固定部材８０の折り線８３から折り線８５ａまでの長さは、可動部材６０及び可動部材１２０が折り畳まれた状態での折り線１２６から折り線６８までの直線距離と同一であり、折り畳まれた可動部材６０及び可動部材１２０の内部で略直線上に配置されている。
【０１０４】
そして、上述したように、固定部材８０の下端片８２及び上端片８７は固定されているため、可動部材６０及び可動部材１２０は、固定部材８０によって、背面板１へ近接する方向へ荷重が加えられる。その結果、可動部材６０及び可動部材１２０は、背面板１へ近接された状態で固定される。以下に説明する実施形態において、この状態を、折畳状態と定義する。
【０１０５】
この折畳状態では、展示台Ｓ２の水平方向の長さを短くすることができるため（即ち、展開状態の展示台Ｓ２の水平方向の幅を薄くできる）、展示台Ｓ２を保管する際にかさばらず、優れた収納性を発揮する。
【０１０６】
また、図９、図１１及び図１２に示すように、面ファスナー１１及び面ファスナー８６を相互に着脱し、固定部材８０を上部に引き上げる（矢印Ａの方向へ引き上げる）と、可動片１２２は、折り線１２７を基準に回動し（矢印Ｂの方向に回動する）、可動面６３上に立設する。この時、可動片１２１は、可動面１２３を介して可動片１２２と連接されているため、可動片１２２の立設に連動して、背面板１可動面６３上に立設する。
【０１０７】
また、可動部材１２０の底面部１２４が、可動部材６０の可動面６３の前面に固定されているため、可動片１２１及び可動片１２１の立設に連動して、可動片６１及び可動片６２も背面板１上に立設する。
【０１０８】
そして、図１０及び図１３に示すように、固定部材８０の上端片８７を、折り線８４ａ及び折り線８４ｂで折り曲げて、面ファスナー１１及び面ファスナー８６を相互に圧着すると、背面板１、可動片６１、可動面２３、可動片１２１、及び、可動面１２３は、階段状に配置された位置で固定される。すなわち、可動部材２０は、中空部を有する角筒状の形態を示している。
【０１０９】
この状態での固定部材８０の折り線８３から折り線８４ａまでの長さは、可動部材６０及び可動部材１２０が角筒状の形態を示す場合の折り線１２６から折り線６８までの直線距離（最短距離）と同一であり、角筒状の形態を示す可動部材６０及び可動部材１２０の内部で対角線上に配置されている。
【０１１０】
そして、上述したように、固定部材８０の下端片８２は固定され、固定部材８０の上端片８７は折り線８４ａ及び折り線８４ｂによって折り曲げられて固定されているため、可動部材６０及び可動部材１２０は、固定部材８０によって、角筒状の形態が維持されるように固定（補形）されている。すなわち、可動部材６０及び可動部材１２０を折り畳む方向に負荷が加えられても、固定部材８０の両端部（上端片８７及び下端片８２）が固定されているため、可動部材６０及び可動部材１２０は、角筒状の形態を維持する。以下に説明する実施形態において、この状態を、階段状態と定義する。
【０１１１】
そして本実施形態における階段状態において、実際に商品を展示する場合には、図１４に示すように、展示台Ｓ２の可動片６１又は可動片１２１に、商品１００を載置する。
【０１１２】
なお、商品の広告等を示す情報表示や、商品のパンフレット等が挿入されたポケットを設ける情報提示部３００を、背面板１、可動面６３、又は可動面１２３の前面に提示するようにしてもよい。
【０１１３】
また、展示台Ｓ２は、階段状態において、壁等の壁面に設置された吊下具に、背板１に穿孔された穴部７及び穴部９に連通される紐１３を係止（例えば、引っ掛ける）することにより、商品１００を垂直方向に配列して展示することができる。
【０１１４】
また、展示台Ｓ２は、階段状態において、設置面に可動片６２及び可動片１２２を当接させることによって、商品１００を載置して展示することもできる。
【０１１５】
このように、本実施形態における展示台Ｓ２は、商品を吊下げて又は載置して展示することができるため、販売環境に応じて商品を展示することができる。
【０１１６】
次に、図１５〜図１８を用いて、第２実施形態にかかる展示台Ｓ２の詳細について説明する。
【０１１７】
まず、図１５を用いて、第２実施形態にかかる背面板１の詳細について説明する。
【０１１８】
図１５は、第２実施形態にかかる背面板１の展開時の形状を示す展開図である。
【０１１９】
図１５に示すように、背面板１は、紙、上質紙、ボール紙やＰＥＴ材等の薄型樹脂製板材等の折り曲げ自在の板状の部材を素材とし、穴部１４、穴部７及び穴部９が設けられた背面板１の左右両端部には折り線４及び折り線６を介して、折り曲げ片３及び折り曲げ片５が連接されている。
【０１２０】
そして、背面板１は、上述した板状の部材を、この背面板１と略同じ形の金型により打ち抜いて形成される。打ち抜かれる際に、図１５における実線部分の切断が行われる。
【０１２１】
この第２実施形態にかかる背面板１が、第１実施形態にかかる背面板１と異なる点は、垂直方向の大きさが長くなった点と、穴部１４を設けたことであるため、その他の詳しい説明は省略する。
【０１２２】
なお、穴部１４は、固定部材８０が挿入される穴であり、固定部材８０は、穴部１４を上下に移動可能に連通する。
【０１２３】
次に、図１６〜図１７を用いて、第２実施形態にかかる可動部材の詳細について説明する。
【０１２４】
図１６は、第２実施形態にかかる可動部材６０の展開時の形状を示す展開図である。
この可動部材６０は、上述した板状の部材を、展開時の形状と略同じ型の金型により打ち抜いて形成される。打ち抜かれる際に、図１６における実線部分の切断が行われる。
【０１２５】
図１６に示すように、可動片６１の左右両端部には、折り線を介して折り込み片６１a
及び折り込み片６１ｂがそれぞれ連接されている。
【０１２６】
可動片６１の上端部には、折り線６８を介して底面部６４が連接され、この底面部６４の左右両端部には、折り線を介して折り込み片６４a及び折り込み片６４ｂがそれぞれ連
接されている。更に、折り線６８と底面部６４の一部には、穴部７１が穿孔される。底面部６４の上端部には、糊代６９が折り線６７を介して連接されている。
【０１２７】
可動片６１の下端部には、折り線６５を介して可動面６３が連接され、この可動面６３の左右両端部には、折り線を介して折り込み片６３a及び折り込み片６３ｂがそれぞれ連
接されている。
【０１２８】
可動面６３の下端部には、折り線６６を介して可動片６２が連接され、可動面６３には、穴部７０が穿孔される。可動片６２の左右両端部には、折り線を介して折り込み片６２a及び折り込み片６２ｂがそれぞれ連接されている。
【０１２９】
この可動部材６０を組み立てる方法の一例としては、まず、上述した各折り込み片６１ａ〜６４ａ及び折り込み片６１ｂ〜６４ｂを、それぞれ内側へ折り曲げて固定する。この折り込み片６１ａ〜６４ａ及び折り込み片６１ｂ〜６４ｂは、可動部材６０を補強する補強部材である。
【０１３０】
その後、可動片６１、可動面６３、可動片６２、及び底面部６４を角筒状に折り曲げて、糊代６９を可動片６２の裏面に固定する。
【０１３１】
図１７は、第２実施形態にかかる可動部材１２０の展開時の形状を示す展開図である。
【０１３２】
この可動部材１２０は、上述した板状の部材を、展開時の形状と略同じ型の金型により打ち抜いて形成される。打ち抜かれる際に、図１７における実線部分の切断が行われる。
【０１３３】
図１７に示すように、可動片１２１の左右両端部には、折り線を介して折り込み片１２１a及び折り込み片１２１ｂがそれぞれ連接されている。
【０１３４】
可動片１２１の上端部には、折り線１２８を介して底面部１２４が連接され、この底面部１２４の左右両端部には、折り線を介して折り込み片１２４a及び折り込み片１２４ｂ
がそれぞれ連接されている。更に、折り線１２８と底面部１２４の一部には、穴部１３１が穿孔される。底面部１２４の上端部には、糊代１２９が折り線１２７を介して連接されている。
【０１３５】
可動片１２１の下端部には、折り線１２５を介して可動面１２３が連接され、この可動面１２３の左右両端部には、折り線を介して折り込み片１２３a及び折り込み片１２３ｂ
がそれぞれ連接されている。
【０１３６】
可動面１２３の下端部には、折り線１２６を介して可動片１２２が連接され、折り線１２６と可動面１２３の一部には、穴部１３０が穿孔される。可動片１２２の左右両端部には、折り線を介して折り込み片１２２a及び折り込み片１２２ｂがそれぞれ連接されてい
る。
【０１３７】
この可動部材１２０を組み立てる方法の一例としては、まず、上述した各折り込み片１２１ａ〜１２４ａ及び折り込み片１２１ｂ〜１２４ｂを、それぞれ内側へ折り曲げて固定する。この折り込み片１２１ａ〜１２４ａ及び折り込み片１２１ｂ〜１２４ｂは、可動部材１２０を補強する補強部材である。
【０１３８】
その後、可動片１２１、可動面１２３、可動片１２２、及び底面部１２４を角筒状に折り曲げて、糊代１２９を可動片１２２の裏面に固定する。
【０１３９】
次に、図１８を用いて、第２実施形態にかかる固定部材８０の詳細について説明する。
【０１４０】
図１８は、第２実施形態にかかる固定部材８０の展開時の形状を示す展開図である。
【０１４１】
この可動部材８０は、上述した板状の部材を、展開時の形状と略同じ型の金型により打ち抜いて形成される。打ち抜かれる際に、図１８における実線部分の切断が行われる。
【０１４２】
図１８に示すように、基部８１の左右両端部には、折り線を介して折り曲げ片８１ａ〜折り曲げ片８１ｄが連接されている。この折り曲げ片は、固定部材８０を補強する補強部材であり、内側へ折り曲げて固定することにより、外力による各部材（基部８１等）の破損等を防止することができる。
【０１４３】
なお、基部８１の横幅は、上方と下方で異なる大きさを示している。
【０１４４】
ここで、説明の便宜上、基部８１において、左右両端部に折り曲げ片８１ａ及び折り曲げ片８１ｂが連接される部分の横幅を横幅Ｐと定義する。また、左右両端部に折り曲げ片８１ｃ及び折り曲げ片８１ｄが連接される部分の横幅を横幅Ｑと定義する（図１８参照）。
【０１４５】
本実施形態においては、横幅Ｐの長さは、穴部１３１及び穴部７０の巾（穴部１３１及び穴部７０のスリット状の穴形状のうち長手方向の長さ）よりも短く設定される。そして、横幅Ｑの長さは、穴部１３１及び穴部７０の巾よりも長く設定される。
【０１４６】
上述したように、展示台Ｓ２を折畳状態から階段状態へ遷移させる際には、可動部材６０及び可動部材１２０の側面部が断面略矩形の中空部が連続する角筒状を示すまで、固定部材８０を上方へ引き上げる。換言すれば、例えば、可動片１２１及び可動片１２２が可動面６３に対して略鉛直となるまで、固定部材８０を上方へ引き上げる。また、可動片６１及び可動片６２が背面板１に対して略鉛直となるまで、固定部材８０を上方へ引き上げる。
【０１４７】
この時、可動部材８０を必要以上に引き上げた場合（例えば、可動片１２１及び可動片１２２が可動面６３に対して略鉛直以上の角度を示すまで引き上げた場合）には、可動片１２１及び可動片１２２は略鉛直以上の角度を示すまで回動されてしまう。
【０１４８】
そして、可動片１２１及び可動片１２２が略鉛直以上の角度を示した状態で可動部材８０が固定されると、可動部材６０及び可動部材１２０は、階段状態において、角筒状の形態を維持することができなくなってしまう。
【０１４９】
このような状態では、可動片６１や可動片１２１は、水平方向に対して傾斜した位置で固定されている。従って、可動片６１や可動片１２１に商品１００を載置した場合に、商品１００が落下したり、見栄えが悪い等の問題が生じる。
【０１５０】
さらに、可動部材８０を必要以上に引き上げた場合には、下端片８２と可動片１２２の固定部に過度の外力が加わることとなり、当該固定部の破損等を招くおそれがある。従って、展示台の信頼性の観点からも好ましくない。
【０１５１】
そこで、可動部材８０が必要以上に上方へ引き上げられることを防止するため、横幅Ｑの長さを、穴部１３１及び穴部７０の巾よりも長く設定している。こうすることにより、可動部材８０を必要以上に引き上げた場合でも、横幅Ｑの両端部が穴部１３１及び穴部７０に引っかかり、動部材８０が必要以上に上方へ引き上げられないようになっている。
【０１５２】
なお、可動部材８０が必要以上に上方へ引き上げられることを防止する観点からは、横幅Ｐの長さを、穴部７１及び穴部１４の巾よりも長く設定するようにしてもよい。
【０１５３】
そして、基部８１の下端部には、折り線８３を介して下端片８２が、基部８１の上端部には、折り線８４ａを介して上端片８７が連接されている。上端片８７には、折り線８４ａ、折り線８４ｂ、折り線８５ａ及び折り線８５ｂが設けられている。
【０１５４】
面ファスナー８６は、上端片８７の一の面に設けることもできるし、両面に設けることもできる。面ファスナー８６を上端片８７の両面に設けた場合には、上端片８７を下方に折り曲げて面ファスナー１１と固定することもできるし、上端片８７を上方に折り曲げて面ファスナー１２と固定することもできる。
【０１５５】
この固定部材８０を組み立てる方法の一例としては、上述した各折り曲げ片８１ａ〜折り曲げ片８１ｄを、それぞれ内側へ折り曲げて固定する。
【０１５６】
以上説明したように、本実施形態によれば、可動面６３に折り畳み可能に取り付けられる一対の可動片１２１及び可動片１２２と、一対の可動片１２１及び可動片１２２に架設された可動面１２３とを有する可動部材１２０と、を備え、さらに、固定部材８０の下端片８２は、可動面１２３と可動片１２２の連接部である折り線１２６に固定され、固定部材８０は、可動部材６０及び可動部材１２０の内部を貫通し、固定部材８０の上端片８７は、背面板１と可動片６１を貫通ように構成したため、種々の状況に応じて、多様な形態で商品を展示することができる。
【０１５７】
なお、以上説明した実施形態は特許請求の範囲にかかる発明を限定するものではない。そして、上記実施形態の中で説明されている構成の組み合わせ全てが発明の課題解決に必須の手段であるとは限らない。
【０１５８】
具体的には、可動片６１又は可動片１２１に載置される商品は、任意に選択することができる。可動部材６０又は可動部材１２０の形状は、収納される商品の大きさや数量に応じて、適宜変更することができる。
【０１５９】
また、可動部材６０又は可動部材１２０の形状は、限定されることなく任意に選択することができる。例えば、底面部６４又は底面部１２４を設けない構成を採用することもできる。
【０１６０】
具体的には、可動部材６０を例にとると、可動片６１及び可動片６２を、背面板１に折畳可能に取り付ける（立設自在に固定する）ようにすればよい。この場合、階段状態において、可動部６０は、断面略コの字の形状を示す。
【０１６１】
また、可動部材１２０を例にとると、可動片１２１及び可動片１２２を、背面板１に折畳可能に取り付ける（立設自在に固定する）ようにすればよい。この場合、階段状態において、可動部１２０は、断面略コの字の形状を示す。
【０１６２】
［３．第３実施形態］
次に、図１９〜図２２を用いて、第３実施形態にかかる展示台Ｓ３について説明する。
【０１６３】
第３実施形態にかかる展示台Ｓ３が、第２実施形態にかかる展示台Ｓ２と異なる点は、背面板、可動板及び他の可動板の前面に、収納部を更に備えたことである。従って、共通する部材の構成、作用及び効果の詳しい説明については省略する。
【０１６４】
まず、図１９〜図２２を用いて、第３実施形態にかかる展示台Ｓ３の使用状態について説明する。
【０１６５】
図１９は第３実施形態にかかる展示台Ｓ３の折畳状態における各構成部材の配置を透過的に示す概念図であり、図２０は第３実施形態にかかる展示台Ｓ３の階段状態を示す外観図であり、図２１は第３実施形態にかかる折畳状態における商品を収容した様子を示す概念図であり、図２２は第３実施形態にかかる階段状態における商品を収容した様子を示す概念図である。
【０１６６】
図１９に示すように、本実施形態にかかる展示台Ｓ３は、背面板１、可動面６３、及び可動面１２３の前面に収納部２００（本願の収納部の一例）を備えて構成される。
【０１６７】
この収納部２００は、背面板１に穿孔された穴部１５及び穴部１６に、収納部２００の挿入片２１５及び挿入片２１６が挿入され、背面板１の背部で固定される。また、可動部材６０及び可動部材１２０に備えられる収納部２００の固定方法も同様である。
【０１６８】
収納部２００は、略箱形であり、収納物（例えば、商品１００等）を付勢する折り曲げ片２１２及び折り曲げ片２１３（本願の付勢部材の一例）を備える。折り曲げ片２１２及び折り曲げ片２１３は、前面方向に断面略くの字に折り曲げられた片である。収納部２００に商品が収納された場合には、上記くの字の頂点部分が商品を前面に付勢するようになっている。従って、収納部２００に収納された商品のガタつきや落下を防止することができる。
【０１６９】
図２０に示すように、階段状態における展示台Ｓ３では、収納部２００は階段状に配置されるようになっている。
【０１７０】
また、図２１では、折畳状態における展示台Ｓ３に商品が収納された様子が、図２２では、階段状態における展示台Ｓ３に商品が収納された様子がそれぞれ示されている。
【０１７１】
次に、図２３〜図２６を用いて、第３実施形態にかかる展示台の詳細について説明する。
【０１７２】
まず、図２３を用いて、第３実施形態にかかる展示台の詳細について説明する。
【０１７３】
図２３は、第３実施形態にかかる背面板１の展開時の形状を示す展開図である。
【０１７４】
第３実施形態にかかる背面板１が、第２実施形態にかかる背面板１と異なる点は、収納部２００の挿入片２１５及び挿入片２１６が挿入される穴部１５及び穴部１６を設けたことであるため、その他の詳しい説明は省略する。
【０１７５】
なお、穴部１５及び穴部１６は、挿入片２１５及び挿入片２１６が貫通できる程度の巾が設けられた略長方形のスリット状の穴である。
【０１７６】
次に、図２４を用いて、第３実施形態にかかる可動部材６０の詳細について説明する。
【０１７７】
図２４は、第３実施形態にかかる可動部材６０の展開時の形状を示す展開図である。
【０１７８】
第３実施形態にかかる可動部材６０が、第２実施形態にかかる可動部材６０と異なる点は、収納部２００の挿入片２１５及び挿入片２１６が挿入される穴部７３及び穴部７４を設けたことであるため、その他の詳しい説明は省略する。
【０１７９】
なお、穴部７３及び穴部７４は、挿入片２１５及び挿入片２１６が貫通できる程度の巾が設けられた略長方形のスリット状の穴である。
【０１８０】
次に、図２５を用いて、第３実施形態にかかる可動部材１２０の詳細について説明する。
【０１８１】
図２５は、第３実施形態にかかる可動部材１２０の展開時の形状を示す展開図である。
【０１８２】
第３実施形態にかかる可動部材１２０が、第２実施形態にかかる可動部材１２０と異なる点は、収納部２００の挿入片２１５及び挿入片２１６が挿入される穴部１３３及び穴部１３４を設けたことであるため、その他の詳しい説明は省略する。
【０１８３】
なお、穴部１３３及び穴部１３４は、挿入片２１５及び挿入片２１６が貫通できる程度の巾が設けられた略長方形のスリット状の穴である。
【０１８４】
次に、図２６を用いて、第３実施形態にかかる収納部２００の詳細について説明する。
【０１８５】
図２６は、第３実施形態にかかる収納部２００の展開時の形状を示す展開図である。
【０１８６】
収納部２００は、上述した板状の部材を、この収納部２００と略同じ形の金型により打ち抜いて形成される。打ち抜かれる際に、図２６における実線部分の切断が行われる。
【０１８７】
図２６に示すように、前面板２０１の一側縁には側面板２０２及び糊代２０３が、他側縁には側面板２０４及び後面板２０５が、折り線（図２６の破線部を示す）を介してそれぞれ順次連接されている。前面板２０１、側面板２０２、側面板２０４及び後面板２０５の下端縁にはそれぞれ底面片２０６〜底面片２０９が、前面板２０１の上端縁には補強片２１０と糊代２１１がそれぞれ折り線を介して連接されている。また、後面板２０５には、挿入穴（例えば、穴部１３３及び穴部１３４等）に挿入される挿入片２１５と挿入片２１６が形成され、上端縁には、折り曲げ片２１２、折り曲げ片２１３、糊代２１４が折り線を介して順次連接されている。
【０１８８】
この収納部２００を組み立てる方法の一例としては、まず、前面板２０１、側面板２０２、側面板２０４、及び後面板２０５を角筒状に折り曲げて、糊代２０３を後面板２０５の裏面（内側）に貼着（固着）する。
【０１８９】
そして、底面片２０６を先に折り曲げ、底面片２０６の下端縁に形成された凹部へ、底面片２０７〜２０９の下端縁に形成された凸部を、この底面片２０７〜２０９を折り曲げて順次挿入する。この凸部と凹部が互いに係合し、収納部２００の底部は補形される。
【０１９０】
なお、上記挿入する際に、底面片２０６〜２０９を互いに貼着することにより、収納部２００の底部の強度がさらに増加し、多数の重量のある商品を収納することができる。
【０１９１】
次に、折り曲げ片２１２と折り曲げ片２１３をくの字に折り曲げて、後面板２０５へ近接させる方向（上記角筒状に折り曲げられた筒の内部方向）へ折り曲げ、互いに当接させる。そして、糊代２１４を折り曲げて、収納部２００の底部へ貼着する。
【０１９２】
次に、補強片２１０を前面板２０１へ近接させる方向（上記角筒状に折り曲げられた筒の内部方向）へ折り曲げて、互いに当接させる。そして、糊代２１１を折り曲げて、収納部２００の底部へ貼着する。
【０１９３】
以上説明したように、本実施形態によれば、展示台Ｓ３は、背面板１、可動面６３、及び可動面１２３の前面に収納部２００を備えるように構成したため、種々の状況に応じて、多様な形態で商品を展示することができる。
【０１９４】
なお、以上説明した実施形態は特許請求の範囲にかかる発明を限定するものではない。そして、上記実施形態の中で説明されている構成の組み合わせ全てが発明の課題解決に必須の手段であるとは限らない。
【０１９５】
例えば、収納部２００は、背面板１、可動面６３、又は可動面１２３の少なくとも一方に設けるように構成してもよい。
【０１９６】
［４．第４実施形態］
次に、図２７及び図２８を用いて、第４実施形態にかかる展示台Ｓ４について説明する。
【０１９７】
第４実施形態にかかる展示台Ｓ４が、第３実施形態にかかる展示台Ｓ３と異なる点は、背面板１の背部に、階段状態において設置面に当接し、展示台を自立させる折り畳み可能な自立片を更に備えたことである。従って、共通する部材の構成、作用及び効果の詳しい説明については省略する。
【０１９８】
まず、図２７を用いて、第４実施形態にかかる展示台の使用状態について説明する。
【０１９９】
図２７は、第４実施形態にかかる展示台の使用状態を示す概念図である。
【０２００】
図２７に示すように、展示台Ｓ４は、背面板１の背部に対して直立した直立片５００及び直立片５０２が設置面に当接することによって、自立している。この直立片５００及び直立片５０２は、背面板１の背部から直立するように折り畳まれた保持片５０４と互いに勘合することによって、背面板１の背部に対して直立した状態が維持されている。
【０２０１】
次に、図２８を用いて、第４実施形態にかかる展示台の詳細について説明する。
【０２０２】
図２８は、第４実施形態にかかる背面板の展開時の形状を示す展開図である。
【０２０３】
第４実施形態にかかる背面板１が、第３実施形態にかかる背面板１と異なる点は、本願の自立片の一例としての直立片５００、直立片５０２及び保持片５０４を設けたことであるため、その他の詳しい説明は省略する。
【０２０４】
図２８に示すように、背面板１は、上述した板状の部材を、この背面板１と略同じ形の金型により打ち抜いて形成される。打ち抜かれる際に、図２８における実線部分の切断が行われる。
【０２０５】
この自立片を組み立てる一例としては、直立片５００、直立片５０２及び保持片５０４を背面板１の背部に対して直立させる方向に折り曲げる。すると、直立片５００の凹部５０１と保持片５０４の凹部５０５が、直立片５０２の凹部５０３と保持片５０４の凹部５０６が、互いに勘合し、背面板１の背部に対して直立した状態が維持されている。
【０２０６】
なお、以上説明した実施形態は特許請求の範囲にかかる発明を限定するものではない。そして、上記実施形態の中で説明されている構成の組み合わせ全てが発明の課題解決に必須の手段であるとは限らない。
【符号の説明】
【０２０７】
１      背面板
２      穴部
３      折り曲げ片
４      折り線
５      折り曲げ片
６      折り線
７      穴部
８      穴部
９      穴部
１０    穴部
１１    面ファスナー
１２    面ファスナー
１３    紐
１４    穴部
１５    穴部
１６    穴部
２０    可動部材
２１    可動片
２１ａ  折り込み片
２１ｂ  折り込み片
２２    可動片
２２ａ  折り込み片
２２ｂ  折り込み片
２３    可動面
２３ａ  折り込み片
２３ｂ  折り込み片
２４    底面部
２４ａ  折り込み片
２４ｂ  折り込み片
２５    折り線
２６    折り線
２７    折り線
２８    折り線
２９    糊代
３０    穴部
３１    穴部
５０    固定部材
５１    基部
５１ａ  折り曲げ片
５１ｂ  折り曲げ片
５２    下端片
５３    折り線
５４ａ  折り線
５４ｂ  折り線
５５ａ  折り線
５５ｂ  折り線
５６    面ファスナー
５７    上端片
６０    可動部材
６１    可動片
６１ａ  折り込み片
６１ｂ  折り込み片
６２    可動片
６２ａ  折り込み片
６２ｂ  折り込み片
６３    可動面
６３ａ  折り込み片
６３ｂ  折り込み片
６４    底面部
６４ａ  折り込み片
６４ｂ  折り込み片
６５    折り線
６６    折り線
６７    折り線
６８    折り線
６９    糊代
７０    穴部
７１    穴部
７３    穴部
７４    穴部
８０    固定部材
８１    基部
８１ａ  折り曲げ片
８１ｂ  折り曲げ片
８１ｃ  折り曲げ片
８１ｄ  折り曲げ片
８２    下端片
８３    折り線
８４ａ  折り線
８４ｂ  折り線
８５ａ  折り線
８５ｂ  折り線
８６    面ファスナー
８７    上端片
１００  商品
１２０  可動部材
１２１  可動片
１２１ａ  折り込み片
１２１ｂ  折り込み片
１２２  可動片
１２２ａ  折り込み片
１２２ｂ  折り込み片
１２３  可動面
１２３ａ  折り込み片
１２３ｂ  折り込み片
１２４  底面部
１２４ａ  折り込み片
１２４ｂ  折り込み片
１２５  折り線
１２６  折り線
１２７  折り線
１２８  折り線
１２９  糊代
１３０  穴部
１３１  穴部
１３３  穴部
１３４  穴部
２００  収納部
２０１  前面板
２０２  側面板
２０３  糊代
２０４  側面板
２０５  後面板
２０６  底面片
２０７  底面片
２０８  底面片
２０９  底面片
２１０  補強片
２１１  糊代
２１２  折り曲げ片
２１３  折り曲げ片
２１５  挿入片
２１６  挿入片
３００  情報提示部
５００  直立片
５０１  凹部
５０２  直立片
５０３  凹部
５０４  保持片
５０５  凹部
５０６  凹部
Ｓ１    展示台
Ｓ２    展示台
Ｓ３    展示台
Ｓ４    展示台
【図１】
0005871043.tif 000002
【図２】
0005871043.tif 000003
【図３】
0005871043.tif 000004
【図４】
0005871043.tif 000005
【図５】
0005871043.tif 000006
【図６】
0005871043.tif 000007
【図７】
0005871043.tif 000008
【図８】
0005871043.tif 000009
【図９】
0005871043.tif 000010
【図１０】
0005871043.tif 000011
【図１１】
0005871043.tif 000012
【図１２】
0005871043.tif 000013
【図１３】
0005871043.tif 000014
【図１４】
0005871043.tif 000015
【図１５】
0005871043.tif 000016
【図１６】
0005871043.tif 000017
【図１７】
0005871043.tif 000018
【図１８】
0005871043.tif 000019
【図１９】
0005871043.tif 000020
【図２０】
0005871043.tif 000021
【図２１】
0005871043.tif 000022
【図２２】
0005871043.tif 000023
【図２３】
0005871043.tif 000024
【図２４】
0005871043.tif 000025
【図２５】
0005871043.tif 000026
【図２６】
0005871043.tif 000027
【図２７】
0005871043.tif 000028
【図２８】
0005871043.tif 000029